(57)【要約】      （修正有）【課題】サイコロの機能を損なうことなく、サイコロのサイの目をパズルを組み合わせる順番に利用し、１の目のピースから６の目のピースまでサイコロのサイの目の昇順でわかりやすく組み合わせることができる完成度の高いサイコロパズルを提供する。【解決手段】正六面体サイコロのサイの目面を形成する１の目板から６の目板までの六枚のサイの目板にそれぞれパズル片１，２，３，４，５，６を設け、該各サイの目のピースを組み合わせて正六面体サイコロを形成するサイコロパズルであって、１の目のピース１から６の目のピース６までサイの目の昇順に組み合わせなければ上記組み合わせが完成しないように上記各サイの目のピースを構成したことを特徴とする。【選択図】図１
0003180556.tif 000002
【実用新案登録請求の範囲】
【請求項１】
正六面体サイコロのサイの目面を形成する１の目板から６の目板までの六枚のサイの目板にそれぞれパズル片を設け、該各サイの目のピースを組み合わせて正六面体サイコロを形成するサイコロパズルであって、１の目のピースから６の目のピースまでサイの目の昇順に組み合わせなければ上記組み合わせが完成しないように上記各サイの目のピースを構成したことを特徴とするサイコロパズル。
【請求項２】
上記６の目のピースから１の目のピースまでサイの目の降順に組み合わせを解除しなければ上記各サイの目のピースの組み合わせを解除できないように上記各サイの目のピースを構成したことを特徴とする請求項１記載のサイコロパズル。
【請求項３】
上記各サイの目のピースの組み合わせが完成したときにはサイコロ内部を中実状に形成するように上記各サイの目のピースを構成したことを特徴とする請求項１又は請求項２の何れかに記載のサイコロパズル。
【請求項４】
上記６の目板にピン状のパズル片を設けると共に、その余の１の目板から５の目板の各サイの目板に上記ピン状パズル片と勘合する勘合孔付きのパズル片を設け、上記６の目板のピン状パズル片により全サイの目のピースを強固に組み合わせることを特徴とする請求項１乃至請求項３の何れかに記載のサイコロパズル。
【請求項５】
上記６の目板に設けたピン状パズル片の先端部を着色すると共に、上記１の目板の中央に上記ピン状パズル片の先端を受け入れる受入孔を設け、上記各サイの目のピースの組み合わせが完成したときに、上記ピン状パズル片の先端面が１のサイの目を表示すると共に上記各サイの目のピースの組み合わせ解除のときに、上記ピン状パズル片の先端面を押圧すれば容易に上記６の目のピースを解除できることを特徴とする請求項４記載のサイコロパズル。
【考案の詳細な説明】
【技術分野】
【０００１】  本考案は、サイコロのサイの目の１の目のピースから６の目のピースまで、サイの目の昇順でサイコロを組み合わせることができ、逆のサイの目の降順でサイコロの組み合わせを解除できるサイコロパズルに関するものである。
【背景技術】
【０００２】  従来よりサイコロは玩具として広く利用されておりパズルとしても広く応用されている。【０００３】  従来のサイコロパズルは他のサイコロと連結して遊ぶものや下記特許文献１に示すからくり箱になる物があるが、パズルを分解する手順が解りにくく、簡単にサイコロのサイの目を活かしてパズルを組み合わせたり、分解できるものがなかった。【０００４】  正六面体の立体パズルは立体を組み上げることが難しく色をヒントにパズルを合わせたり、絵を合わせてパズルを完成させるといった手法で、教育用玩具としたものがある。
【先行技術文献】
【特許文献】
【０００５】
【特許文献１】  特開２０１１−２０６５０３号公報
【特許文献２】  実開昭６３−０７４１７７号公報
【特許文献３】  実開平５−９１７９８号公報
【特許文献４】  意匠登録１２７９１３７号公報
【考案の概要】
【考案が解決しようとする課題】
【０００６】  いままでは、サイコロの機能を損なうことなく、サイコロのサイの目をパズルを組み合わせる順番に利用し、１の目のピースから６の目のピースまでサイコロのサイの目の昇順でわかりやすく組み合わせることができるものがなかった。【０００７】  また、正六面体のパズルを分解する手順やヒントとしてサイコロのサイの目と連動したものがなく、パズルを解く手順も、サイコロの目の６の目のピースから１の目のピースの降順でわかりやすく組み合わせを解除できる完成度の高いサイコロパズルがなかった。
【課題を解決するための手段】
【０００８】  上記の課題を解決するためになされた本考案のサイコロパズルは、サイコロとしての機能を損なうことなく、サイコロのサイの目の１の目のピースから６の目のピースまでサイの目の昇順で正六面体の立体パズルをわかりやすく組み合わせることができ、逆のサイの目の６の目のピースから１の目のピースの降順で、サイコロの組み合わせを解除できる六個のサイの目を持つピースで構成され、サイコロのサイの目の数と組み合わせる昇順や組み合わせを解除する降順をパズル遊びで習得できることを特徴とするものである。
【考案の効果】
【０００９】  本考案で構成される各ピースで組み立てられるサイコロパズルは、サイコロのサイの目を持つ六個のピースを組み合わせて立体パズル遊びを行うものであり、サイコロパズルを組み合わせる順番と正六面体のサイの目の配置と構成を簡単に覚えることが出来る。【００１０】  本考案のサイコロパズルを組むときは、サイコロのサイの目の１の目のピースから６の目のピースまでサイの目の昇順で組み合わせないと、全ピースを組めないパズルである。【００１１】  本考案のサイコロパズルを解くときは、サイコロのサイの目の６の目のピースから１の目のピースまで、サイの目の降順で解除しないと、全ピースを分解出来ないパズルである。【００１２】  本考案は、サイコロのサイの目の１から６の目の各ピースを組み合わせることで正六面体の内部が中実状に形成されるように各ピースのパズル片を構成するパズルである。【００１３】  本考案は、６の目のピースのピン状のパズル片と勘合する勘合孔付きのパズル片が１の目のピースから５の目のピースまでに設けられ、上記ピン状のパズル片が全サイの目のピースを強固に組みあわせるパズルである。【００１４】  上記６のピン状のパズル片の先端部は、１の目板の中央の孔に受け入れられ、パズルを解除のときに、１のサイの目を表示する目板の孔から上記６のピン状パズル片の先端面を押圧することで、６のサイの目のピースを容易に解除できるパズルである。【００１５】  本考案のパズルの組み合わせを解除する際に、次に解除するサイの目のピースのヒントとなるサイの目板の孔が組み合わさったサイコロの内部に現れ、サイコロパズルを簡単にサイの目の降順に解除できるパズルである。
【図面の簡単な説明】
【００１６】
【図１】  本考案のパズルの組み合わせを解除した斜視図
【図２】  本考案のパズルを組み合わせた状態の斜視図
【図３】  本考案のパズルを組み合わせる手順のピースの昇順を示す説明図
【図４】  本考案のパズルの組み合わせを解除する手順のピースの降順を示す説明図
【図５】  本考案の６の目のピースの六面図  ［ａ］  ６の目のピースの正面図  ［ｂ］  ６の目のピースの背面図  ［ｃ］  ６の目のピースの左側面図  ［ｄ］  ６の目のピースの右側面図  ［ｅ］  ６の目のピースの平面図  ［ｆ］  ６の目のピースの底面図
【図６】  本考案の５の目のピースの六面図  ［ａ］  ５の目のピースの正面図  ［ｂ］  ５の目のピースの背面図  ［ｃ］  ５の目のピースの左側面図  ［ｄ］  ５の目のピースの右側面図  ［ｅ］  ５の目のピースの平面図  ［ｆ］  ５の目のピースの底面図
【図７】  本考案の４の目のピースの六面図  ［ａ］  ４の目のピースの正面図  ［ｂ］  ４の目のピースの背面図  ［ｃ］  ４の目のピースの左側面図  ［ｄ］  ４の目のピースの右側面図  ［ｅ］  ４の目のピースの平面図  ［ｆ］  ４の目のピースの底面図
【図８】  本考案の３の目のピースの六面図  ［ａ］  ３の目のピースの正面図  ［ｂ］  ３の目のピースの背面図  ［ｃ］  ３の目のピースの左側面図  ［ｄ］  ３の目のピースの右側面図  ［ｅ］  ３の目のピースの平面図  ［ｆ］  ３の目のピースの底面図
【図９】  本考案の２の目のピースの六面図  ［ａ］  ２の目のピースの正面図  ［ｂ］  ２の目のピースの背面図  ［ｃ］  ２の目のピースの左側面図  ［ｄ］  ２の目のピースの右側面図  ［ｅ］  ２の目のピースの平面図  ［ｆ］  ２の目のピースの底面図
【図１０】  本考案の１の目のピースの六面図  ［ａ］  １の目のピースの正面図  ［ｂ］  １の目のピースの背面図  ［ｃ］  １の目のピースの左側面図  ［ｄ］  １の目のピースの右側面図  ［ｅ］  １の目のピースの平面図  ［ｆ］  １の目のピースの底面図
【考案を実施するための形態】
【００１７】  以下、図１を用いながら、本考案の実施の形態を説明する。
【００１８】  １のサイの目のピース（１）は、一つの孔を中央に持つ１の目板（１１）と、内部に２のサイの目のピース（２）の内部パズル片（２２）が組み合わさり、６のサイの目のピース（６）のピン状パズル片（６２Ａ）が勘合する貫通孔を持つパズル片（１２）で構成される。パズル片（１２）は組み合わさる上記２のパズル片（２２）が差し込まれるスリット（１２ｂ）と、３のサイの目のピース（３）のスライド溝（３２ａ）に勘合し組み合わさりガイドとなる突起（１２ａ）を持つ。
【００１９】  ２のサイの目のピース（２）は、二つの孔を持つ２の目板（２１）と、内部に１のパズル片（１２）のスリット（１２ｂ）に差し込まれ組み合わさり、ピース（６）のピン状パズル片（６２Ａ）が勘合する貫通孔を持つパズル片（２２）で構成される。図３に示すように、ピース（２）は、ピース（１）と矢印の方向で組み合わさる。図４に示すように、２の目板（２１）のパズルの内側に見える孔（２３）は、パズルをサイの目の降順で組み合わせを解除するヒントにもなる。
【００２０】  ３のサイの目のピース（３）は、三つの孔を持つ３の目板（３１）と、その内部に組み合わさったピース（１＋２）と嵌合し組み合わさり、ピース（６）のピン状パズル片（６２Ａ）が勘合する貫通孔を持つパズル片（３２）で構成される。パズル片（３２）は、パズル片（１２）の突起（１２ａ）を受ける溝（３２ａ）と突起（３２ｂ）を持つ。図３に示すように、まず、組み合わさったピース（１＋２）と矢印の方向でピース（３）が組み合い、次に突起（１２ａ）にパズル片（３２）の溝（３２ａ）が嵌まり、矢印の方向にスライドするとピース（１＋２）にピース（３）が組み合わさる。ピース（１＋２＋３）が組み合わさると、突起（３２ｂ）が、ピース（１＋２）のパズルの内側に見えていた２の目板（２１）の孔（２３）を隠す。図４に示すように、３の目板（３１）のパズルの内側に見える孔（３３）は、パズルをサイの目の降順で組み合わせを解除するヒントにもなる。
【００２１】  ４のサイの目のピース（４）は、四つの穴を持つ４の目板（４１）と、その内部に組み合わさったピース（１＋２＋３）と嵌合し組み合わさり、ピース（６）のピン状パズル片（６２Ａ）が勘合する貫通孔を持つパズル片（４２）で構成される。パズル片（４２）は、パズル片（３２）の突起（３２ｂ）をはさむ突起（４２ａ）を持ち、図３に示すように、組み合わさったピース（１＋２＋３）の突起（３２ｂ）をガイドにして、矢印の方向にピース（４）が組み合わさる。組み合わさったピース（１＋２＋３）にピース（４）が組まれることで、ピース（１＋２＋３）のパズルの内側に見えていた３の目板（３１）の孔（３３）を隠す。図４に示すように、４の目板（４１）のパズルの内側に見える孔（４３）は、パズルをサイの目の降順で組み合わせを解除するヒントにもなる。
【００２２】  ５のサイの目のピース（５）は、五つの孔を持つ５の目板（５１）と、その内部に組み合わさったピース（１＋２＋３＋４）と嵌合し組み合わさり、ピース（６）のピン状パズル片（６２Ａ）が勘合する貫通孔を持つパズル片（５２Ａ）と、パズル片（３２）の溝（３２ａ）とパズル片（１２）の突起（１２ａ）が組み合ってできる穴にはまる突起状パズル片（５２Ｂ）で構成される。パズル片（５２Ａ）はピース（６）の突起状パズル片（６２Ｂ）が勘合される切欠き（５２ａ）を持つ。図３に示すように、組み合わさったピース（１＋２＋３＋４）に矢印の方向にピース（５）が組み合わさる。組み合わさったピース（１＋２＋３＋４）にピース（５）が組まれることで、ピース（１＋２＋３＋４）のパズルの内側に見えていた４の目板（４１）の孔（４３）を隠す。図４に示すように、５の目板（５１）のパズルの内側に見える孔（５３）は、パズルをサイの目の降順で組み合わせを解除するヒントにもなる。
【００２３】  ６のサイの目のピース（６）は、六つの孔を持つ６の目板（６１）と、その内部に組み合わさったピース（１＋２＋３＋４＋５）と嵌合し組み合わさり、組み合わさったピース（１＋２＋３＋４＋５）を貫くピン状パズル片（６２Ａ）と、パズル内部のピース（５）の切欠き（５２ａ）に組み合い勘合する突起状パズル片（６２Ｂ）で構成される。図３に示すように、ピース（６）は、組み合わさったピース（１＋２＋３＋４＋５）と、矢印の方向に組み合わさり正六面体のサイコロパズルが完成する。組み合わさったピース（１＋２＋３＋４＋５）にピース（６）が組まれることで、パズルの内側に見えていた５の目板（５１）の孔（５３）は隠れ、正六面体のサイコロの内部は、中実状に形成される。ピン状パズル片（６２Ａ）が、組み合わさったピース（１＋２＋３＋４＋５）を貫くことで、全ピースが強固に組み合わさりサイコロとして使用に耐え得るパズルとなる。
図４に示すように、ピン状パズル片（６２Ａ）の先端面は、組み合わさったピース（１＋２＋３＋４＋５＋６）で１の目板（１１）の中央の孔に受け入れられ、１のサイの目を表示すると共に、ピースの組み合わせを解除するときに、着色されたピン状パズル片（６２Ａ）の先端面は、パズルをサイの目の降順で解除する１番目の手順のヒントにもなり押圧すれば容易に解除できる。
本考案は、以上の構成よりなりたっている。
【００２４】  本考案は、木、合成樹脂、金属等を用いて作れるが、以下、図１、図２の斜視図と図３、図４のパズルの手順の説明図、図５から図１０までの各サイの目のピースの六面図を用いながら、木でつくった場合の実施例について説明する。
（イ）上下が平面の正方形の六枚の板に１から６までのサイコロのサイの目の孔をあける。
（ロ）六枚の板の側面全周を４５度の角度でカットし、サイコロの１から６までのサイの目を持つ六枚の目板で正六面体が組めるようにする。正六面体を構築するの各サイの目板は図２で示すサイコロのサイの目の対面とのサイの目の合計が７になる配置になる。
（ハ）１のサイの目の目板（１１）の内部に、図３に示すように、ピース（２）が組み合わさる図１に示すパズル片（１２）を接着し、ピース（１）を構築する。完成した図１で示す１の目のピース（１）の六面図を図１０に示す。
（ニ）２のサイの目の目板（２１）の内部に、図３に示すように、ピース（１）と組み合わさる図１に示すパズル片（２２）を接着し、ピース（２）を構築する。ピース（２）は、図４に示すように、ピース（１＋２）と組み合わせを解除される。完成した図１で示すピース（２）の六面図を図９に示す。
（ホ）３のサイの目の目板（３１）の内部に、図３に示すように、組み合ったピース（１＋２）と組み合わさる図１に示すパズル片（３２）を接着し、ピース（３）を構築する。ピース（３）は、図４に示すように、ピース（１＋２）と組み合わせを解除される。完成した図１で示すピース（３）の六面図を図８に示す。
（ヘ）４のサイの目の目板（４１）の内部に、図３に示すように、組み合ったピース（１＋２＋３）と組み合わさる図１に示すパズル片（４２）を接着し、ピース（４）を構築する。ピース（４）は、図４に示すように、ピース（１＋２＋３）と組み合わせを解除される。完成した図１で示すピース（４）の六面図を図７に示す。
（ト）５のサイの目の目板（５１）の内部に、図３に示すように、組み合ったピース（１＋２＋３＋４）と組み合わさる図１に示すパズル片（５２Ａ）と突起状パズル片（５２Ｂ）を接着し、ピース（５）を構築する。ピース（５）は、図４に示すように、ピース（１＋２＋３＋４）と組み合わせを解除される。完成した図１で示すピース（５）の六面図を図６に示す。
（チ）６のサイの目の目板（６１）の内部に、図３に示すように、組み合ったピース（１＋２＋３＋４＋５）と組み合わさる図１に示すピン状パズル片（６２Ａ）と突起状パズル片（６２Ｂ）を接着し、ピース（６）を構築する。ピース（６）は、図４に示すように、ピース（１＋２＋３＋４＋５）と組み合わせを解除される。完成した図１で示すピース（６）の六面図を図５に示す。
（リ）各パズル片の互いの嵌め合いを調整し、最後にピン状パズル片（６２Ａ）の先端面に組み合わさったサイコロパズルを解除するヒントになる着色を施し、１から６までのサイの目の各ピースを、図３に示すように、サイの目の昇順で組み合わせて、サイコロパズルを完成させる。
【産業上の利用可能性】
【００２５】  サイコロの立体パズルとして、数や順番の教育用玩具、小中学生のものづくり工作教材、木材活用の工芸品やノベルティ、金属や樹脂等の各種素材や成型技術を表現するサンプルやペーパーウエイト、サイズを極小化して微細加工技術のオリジナルグッズに展開できる。
【符号の説明】
【００２６】１      １のサイの目のピース
１１    ピン状パズル片（６２Ａ）を受け入れる一つの孔を中央に持つ１のサイの目板
１２    ピン状パズル片（６２Ａ）と勘合する貫通孔付き１のサイの目のパズル片
１２ａ  パズル片（３２）のスライド溝（３２ａ）と組み合いガイドとなる突起
１２ｂ  パズル片（２２）を差し込むスリット
２      ２のサイの目のピース
２１    二つの孔を持つ２のサイの目板
２２    ピン状パズル片（６２Ａ）と勘合する貫通孔付き２のサイの目のパズル片
２３    ピース（３）が組み合わさるとパズルの内側の孔が隠れる２のサイの目
３      ３のサイの目のピース
３１    三つの孔を持つ３のサイの目板
３２    ピン状パズル片（６２Ａ）と勘合する貫通孔付き３のサイの目のパズル片
３２ａ  突起（１２ａ）、突起状パズル片（５２Ｂ）と組み合うスライド溝
３２ｂ  パズル片（４２）の突起（４２ａ）と組み合う突起
３３    ピース（４）が組み合わさるとパズルの内側の孔が隠れる３のサイの目
４      ４のサイの目のピース
４１    四つの孔を持つ４のサイの目板
４２    ピン状パズル片（６２Ａ）と勘合する貫通孔付き４のサイの目のパズル片
４２ａ  パズル片（３２）の突起（３２ｂ）と組み合う突起
４３    ピース（５）が組み合わさるとパズルの内側の孔が隠れる４のサイの目
５      ５のサイの目のピース
５１    五つの孔を持つ５のサイの目板
５２Ａ  ピン状パズル片（６２Ａ）と勘合する貫通孔付き５のサイの目のパズル片
５２ａ  突起状パズル片（６２Ｂ）が勘合される切欠き
５２Ｂ  ５のサイの目の突起状のパズル片
５３    ピース（６）が組み合わさるとパズルの内側の孔が隠れる５のサイの目
６      ６のサイの目のピース
６１    六つの孔を持つ６のサイの目板
６２Ａ  ６のサイの目のピン状のパズル片
６２Ｂ  ６のサイの目の突起状のパズル片
【図１】
0003180556.tif 000003
【図２】
0003180556.tif 000004
【図３】
0003180556.tif 000005
【図４】
0003180556.tif 000006
【図５】
0003180556.tif 000007
【図６】
0003180556.tif 000008
【図７】
0003180556.tif 000009
【図８】
0003180556.tif 000010
【図９】
0003180556.tif 000011
【図１０】
0003180556.tif 000012